(57)【特許請求の範囲】
【請求項１】
インク供給源に連絡されたインクノズルと、前記インクノズルのインクに圧力波を作用させて所定の径及び飛翔速度を有するインク液滴を吐出させる吐出手段と、前記吐出手段により吐出されたインク液滴の飛翔速度を制御する飛翔速度制御手段とを有し、
前記吐出手段を、インクに付与するエネルギーの大きさを変化することによって吐出インク液滴量を変化させて吐出インク液滴径を変化させることができるように構成すると共に、
前記飛翔制御手段は、吐出されたインク液滴の径を決める前記吐出手段の動作とは実質的に独立しており、前記吐出手段によって吐出されたインク液滴の異なる径に対応してインク液滴の飛翔速度を同一にする制御がされるように構成したインクジェット記録装置。
【請求項２】
インク供給源に連絡されたインクノズルと、前記インクノズルのインクに圧力波を作用させて所定の径および飛翔速度を有するインク液滴を吐出させる吐出手段と、前記吐出手段により吐出されたインク液滴の飛翔速度を制御する飛翔速度制御手段とを有し、
前記吐出手段を、インクに付与するエネルギーの大きさを変化することによって吐出インク液滴量を変化させて吐出インク液滴径を変化させることができるように構成すると共に、
前記飛翔速度制御手段は、吐出されたインク液滴の径を決める前記吐出手段の動作とは実質的に独立しており、前記吐出手段によって吐出されたインク液滴の異なる径に対応してインク液滴が被記録物に到達するまでの飛翔時間を同一にする制御がされるように構成したインクジェット記録装置。
【請求項３】
吐出手段は、少なくとも非吐出状態から吐出状態へ変化するときにおいて、インクノズルのインクに圧力を印加しインクメニスカスを吐出方向に凸状とする請求項１又は２記載のインクジェット記録装置。
【請求項４】
吐出手段は、吐出状態においてインクノズルのインクメニスカスに吐出方向に圧力を印加し、飛翔速度制御手段は、吐出状態において、インクノズルのインクメニスカスに吐出方向に引力を印加する請求項１から３のいずれかに記載のインクジェット記録装置。
【請求項５】
飛翔速度制御手段は、飛翔するインク液滴に被記録物の方向に引力を印加する請求項１から４のいずれかに記載のインクジェット記録装置。
【請求項６】
吐出手段は、ピエゾ圧電素子を有する請求項１から５のいずれかに記載のインクジェット記録装置。
【請求項７】
飛翔速度制御手段は、インクノズルと被記録物間に作用する静電力を利用する請求項１から６のいずれかに記載のインクジェット記録装置。
【請求項８】
インクノズルと被記録物のインクの吐出方向と略直交する方向の相対移動速度をＶｐ、前記インクノズルから前記被記録物までの距離をＬ、インク液滴の飛翔速度の最高速度の平均値をＶｄ１、インク液滴の飛翔速度の最低速度の平均値をＶｄ２、被記録物における解像度をＤドット／ｍとすると、以下の（数１）を満たす請求項１から７のいずれかに記載のインクジェット記録装置。
【数１】
0003826519.tif 000008
【請求項９】
インクノズルと被記録物のインクの吐出方向と略直交する方向の相対移動速度をＶｐ、前記インクノズルから前記被記録物までの距離をＬ、インク液滴の飛翔速度の最高速度の平均値をＶｄ１、インク液滴の飛翔速度の最低速度の平均値をＶｄ２、被記録物における解像度をＤドット／ｍとすると、以下の（数２）を満たす請求項１から７のいずれかに記載のインクジェット記録装置。
【数２】
0003826519.tif 000009
【発明の詳細な説明】
【０００１】
【発明の属する技術分野】
本発明は、文字・図形などを被記録物に形成するインクジェット記録装置に関するものである。
【０００２】
【従来の技術】
近年、マルチメディア情報化社会において、パソコンが普及し、それに伴ってプリンタの需要が増大してきている。特に、インクジェットプリンタは、低価格で高画質なカラープリントが可能なことから、急速に市場が増大しつつある。
【０００３】
かかるインクジェットプリンタのインクジェット記録ヘッドの構成は、種々存在するが、代表的なものに、図４に示す圧力波を発生させ液滴を吐出するオンデマンド方式インクジェット記録ヘッドがある。
【０００４】
図４において、１００はピエゾ圧電振動子、１０１はインク流入口、１０２は圧力室、１０３はインク吐出口である。
【０００５】
このような構成において、ピエゾ振動子１００に電圧を印加すると、その伸縮振動が曲げ方向の振動に変換され、圧力室１０２の体積を膨張・収縮させる。
【０００６】
そして、体積の収縮時には、圧力室１０２内のインクが圧縮されるため液滴がノズル１０３より吐出し、膨張時には圧力室１０２内のインクが負圧となるが、ノズル１０３の出口ではインクの表面張力による保持力が作用するためインク流入口１０１よりインクが補給される。
【０００７】
【発明が解決しようとする課題】
さて、上記の従来の構成では、例えば一般には図５に示されたような信号波形が採用される。
【０００８】
具体的には図５では、三角波形状の信号が示されているが、電圧の上昇する部分Ａで例えば圧力室が膨張し、下降する部分Ｂで圧力室が圧縮されインク液滴が吐出する。また、この三角波形は時間Ｔ毎に繰り返され、１つの波形で１つのインク液滴が吐出される。
【０００９】
図５においては、（ｉ）、（ｉｉ）及び（ｉｉｉ）の３つの信号が印加された場合が示されており、（ｉ）は信号の振幅が大きく、従って振動の変位が大きく圧力室の膨張・圧縮の程度が大きいが、(ii)、(iii)となるに従いその程度が小さくなっていく。
【００１０】
図６は、これらの信号に対応したインク液滴の吐出状態を具体的に示したものである。
【００１１】
図６（ａ）において、信号（ｉ）では、信号電圧が十分高く振動の変位量が大きいので、大きな液滴が、速い速度で吐出する。
【００１２】
一方で、図６（ｂ）、（ｃ）に各々対応した信号（ｉｉ）、（ｉｉｉ）では変位量が小さくなってくるため、吐出するインク液滴は小さくなるが、インク液滴の飛翔力も弱くなり、吐出速度が低下してくる。特に、信号（ｉｉｉ）のように非常に吐出速度が小さくなると、重力の影響をうけ対向する被記録物に到着できないほどに曲がって吐出してしまうことになる。
【００１３】
今、図５の信号波形通りに、ピエゾ振動子が振動しているとすると、信号の振幅が変位量に、波形部Ｂの傾きがインクを圧縮する側に変位する速さに対応することになる。
【００１４】
ここで、信号（ｉ）〜（ｉｉｉ）では、振幅が異なっているが波形部Ｂの傾きは同じであり、すなわち、圧力室を圧縮する速さは同じである。
【００１５】
よって、圧力室が圧縮される速さは、圧力室内のインクの流動する速さに相当するので、信号（ｉ）〜（ｉｉｉ）での圧力室内のインク流動速度は同じであることが想定されるが、実際の液滴飛翔速度は、振幅の小さな信号ほど小さな値となっている。この原因は、振動によって液滴が吐出する際に、振動エネルギーが、液滴の運動エネルギーと、液滴表面形成エネルギー及び粘性損失エネルギーに変換されるためである。
【００１６】
特に、変位の小さな信号（ｉｉｉ）では、振動エネルギーが液滴形成エネルギーと粘性損失エネルギーに変換された後、わずかな運動エネルギーしか残っていないため、飛翔速度は低いことになる。
【００１７】
図７は、横軸に信号により励起されるピエゾ振動子の変位量を、縦軸に吐出されるインク液滴の径及び飛翔速度をとったグラフである。
【００１８】
図７によれば、振動変位量が小さくなると、吐出するインク液滴径がしだいに小さくなってくるが、液滴の飛翔速度も小さくなってきてくることが示されている。このように、液滴の飛翔速度が小さいと、前述のように重力の影響を受けて吐出方向が曲がったり、空気の流れの影響を受けて吐出方向が安定しないという現象が生じる。
【００１９】
つまり、ピエゾ振動子による振動力だけでは、液滴の大小は変位量を制御して可変とすることができるが、液滴飛翔速度を十分大きくすることが困難であって、強いて飛翔速度を高速にしようとすると、変位量以外の要素、例えば変位速度を速くして、液体の流動速度を大きくするなどの工夫が必要である。
【００２０】
ところが、変位速度は、図５で傾斜部Ｂに対応するが、傾斜部Ｂを変化させることは、信号波形が相似形でなくなることを意味しており、それだけ駆動回路が複雑になる。
【００２１】
また、圧力室を含むピエゾ振動子振動系の剛性が十分に高ければ、傾斜部Ｂの変化でいくらでも、液の流動速度を高くできるが、実際にはある程度の弾性をもっていると考えられるので、機械的振動特性において変位速度には上限があり、液滴飛翔速度にかかる液体の流動速度を速くすることにも上限があり、実用上、振動力のみで液滴径と液滴飛翔速度の両方を制御するのは非常に難しい。
【００２２】
さらに、インクジェット記録装置では、インク液滴の大小を制御できれば、それによって画像の濃淡を制御でき、階調性の高い画像を印写が可能となるので、インク液滴径が広い範囲で可変であるかどうかは、プリンタの実現できる画質に大きく影響を与える。
【００２３】
ところが、従来の圧力波を利用したインクジェット記録装置では、小さな液滴径を形成しようとしたとき、その液滴の飛翔速度を大きくできないため、実用的な範囲では非常に狭い範囲でしか液滴径を可変できないという課題を有してしまう。
【００２４】
本発明は上記従来技術の課題を解決するもので、吐出するインク液滴の大小が広い範囲で可変でき、かつそのインク液滴が高速で安定に飛翔し得るインクェット記録装置を提供することを目的とする。
【００２５】
【課題を解決するための手段】
この目的を達成するために本発明は、インクノズルのインクに圧力波を作用させて所定の径及び飛翔速度を有するインク液滴を吐出させる吐出手段と、吐出されたインク液滴の飛翔速度を制御する飛翔速度制御手段とを有し、吐出手段を、インクに付与するエネルギーの大きさを変化することによって吐出インク液滴量を変化させて吐出インク液滴径を変化させることができるように構成すると共に、飛翔制御手段は、吐出されたインク液滴の径を決める吐出手段の動作とは実質的に独立しており、吐出手段によって吐出されたインク液滴の異なる径に対応してインク液滴の飛翔速度を同一にする制御がされるように構成したインクジェット記録装置である。
【００２６】
このような構成により、吐出するインク液滴の大小が広い範囲で可変でき、かつそのインク液滴が高速で安定に飛翔し得るインクェット記録装置を提供する。
【００２７】
【発明の実施の形態】
請求項１記載の本発明は、インク供給源に連絡されたインクノズルと、前記インクノズルのインクに圧力波を作用させて所定の径及び飛翔速度を有するインク液滴を吐出させる吐出手段と、前記吐出手段により吐出されたインク液滴の飛翔速度を制御する飛翔速度制御手段とを有し、吐出手段を、インクに付与するエネルギーの大きさを変化することによって吐出インク液滴量を変化させて吐出インク液滴径を変化させることができるように構成すると共に、飛翔制御手段は、吐出されたインク液滴の径を決める吐出手段の動作とは実質的に独立しており、吐出手段によって吐出されたインク液滴の異なる径に対応してインク液滴の飛翔速度を同一にする制御がされるように構成したインクジェット記録装置である。
【００２８】
このような構成により、圧力波で液滴径（吐出量）を、飛翔速度制御手段で液滴の飛翔速度を、機能分離して制御する。よって、吐出液滴径が小さな場合にも、大きい場合と同様な液滴飛翔速度を与えることができるため、使用できるインク液滴径の可変範囲が広がり、階調性の高い画像を印写できるようになり、高画質な画像再現が可能となる。
【００２９】
具体的には、飛翔速度制御手段は、吐出手段により吐出されたインク液滴の被記録物までの平均飛翔速度を一定の値とするようにインク液滴を制御することが好適であり、換言すれば、請求項２記載のように、飛翔速度制御手段は、吐出手段により吐出されたインク液滴の被記録物までの飛翔時間を一定の値とするようにインク液滴を制御するものであってもよい。
【００３０】
ここで、請求項３記載のように、吐出手段は、少なくとも非吐出状態から吐出状態へ変化するときにおいて、インクノズルのインクに圧力を印加しインクメニスカスを吐出方向に凸状とすることが好適である。
【００３１】
かかる構成により、インクの吐出を確実かつ容易に行い得る。
また、請求項４記載のように、吐出手段は、吐出状態においてインクノズルのインクメニスカスに吐出方向に圧力を印加し、飛翔速度制御手段は、吐出状態において、インクノズルのインクメニスカスに吐出方向に引力を印加する構成が好適である。
【００３２】
かかる構成により、インクの吐出を確実かつ容易に行い得る。
【００３３】
また、請求項５記載のように、飛翔速度制御手段は、飛翔するインク液滴に被記録物の方向に引力を印加することが、液滴の飛翔速度を制御することの的確性故に好適である。
【００３４】
ここで、請求項６記載のように、吐出手段は、ピエゾ圧電素子を有することが好適で、請求項７記載のように、飛翔速度制御手段は、インクノズルと被記録物間に作用する静電力を利用することが好適である。
【００３５】
かかる構成により、液滴径（吐出量）と液滴の飛翔速度とを、確実に機能分離して制御し得る。
【００３６】
以上において、請求項８記載のように、インクノズルと被記録物のインクの吐出方向と略直交する方向の相対移動速度をＶｐ、前記インクノズルから前記被記録物までの距離をＬ、インク液滴の飛翔速度の最高速度の平均値をＶｄ１、インク液滴の飛翔速度の最低速度の平均値をＶｄ２、被記録物における解像度をＤドット／ｍとすると、以下の（数３）を満たすことが、その画質を確実に良好にするために好適である。
【００３７】
【数３】
0003826519.tif 000002
【００３８】
さらに、請求項９記載のように、インクノズルと被記録物のインクの吐出方向と略直交する方向の相対移動速度をＶｐ、前記インクノズルから前記被記録物までの距離をＬ、インク液滴の飛翔速度の最高速度の平均値をＶｄ１、インク液滴の飛翔速度の最低速度の平均値をＶｄ２、被記録物における解像度をＤドット／ｍとすると、以下の（数４）を満たすことが、その画質を確実に一層良好にするために好適である。
【００３９】
【数４】
0003826519.tif 000003
【００４０】
（実施の形態１）
以下、本発明の第１の実施の形態について、図面を参照しながら説明する。
【００４１】
図１は本発明の一実施例におけるインクジェット記録装置の断面図である。
図１において、１０はインクジェット記録ヘッド、１１は吐出ノズル、１２は圧力室、１３は不図示のインク供給源に連絡されたインク流入口、１４はピエゾ素子（ピエゾ圧電振動子）、１５はピエゾ駆動電極、１６はピエゾ駆動信号源、１７は対向電極、１８は被記録物、及び１９は高圧電源を示す。
【００４２】
このような構成において、ピエゾ駆動信号源１６によってピエゾ駆動電極１５に信号電圧が印加されるとピエゾ素子１４が振動を起こし、圧力室１２内のインクを膨張・圧縮させ、吐出ノズル１１よりインク液滴が吐出するが、このインクジェット記録ヘッド１０と対向して配置された被記録物１８の背面に対向電極１７が設けられており、吐出ノズルと対向電極間に静電界が作用するようになっている。
【００４３】
図２は、以上のような構成のインクジェット記録装置を用いて実験した結果を示すグラフであり、横軸はピエゾ素子の振動変位量を、縦軸は液滴の飛翔速度を示している。
【００４４】
図２において、直線ａは静電界が印加されておらず、振動によるエネルギーによってのみ液滴が吐出している状態を示し、変位量が小さくなるとしだいに飛翔速度が低下して速度０に近ずく。
【００４５】
ついで、直線ｂ、ｃは、静電界を印加したときのインク液滴の飛翔速度を示すもので、直線ｂは１．５ｋＶ／ｍｍの電界を、直線ｃは３ｋＶ／ｍｍの電界を印加したときの飛翔速度を示している。
【００４６】
図２より、このように電界を印加することによって、液滴飛翔速度が上昇することが分かる。特に、変位量の小さな領域では、液滴径が小さく重さが軽いため、より静電力によって加速される効果が大きいことが理解できる。
【００４７】
さらに、ピエゾ素子の変位量に応じて、静電界の強度を制御すれば、インク液滴の飛翔速度をほぼ一定の値に近づけることができることをも理解できる。実際には、静電力による加速で、液滴は、被記録物に近い程高速となるので、平均速度で見た場合に一定の値に近づけることができることになり、換言すれば、被記録物までの飛翔時間を一定の値に近づけることができることとなる。
【００４８】
以上より、まず、本実施の形態のインクジェット記録装置は、圧力波によって液滴径（吐出量）を、静電力によって液滴飛翔速度を制御する、機能分離型インクジェット記録装置を実現している。
【００４９】
静電力で液滴飛翔速度を制御することによって、ピエゾ素子の振動は相似形の信号波形で振幅のみ変化するような単純な波形が採用できる。これは、振動による圧力波発生の条件として、吐出量のみを変化できればよく、液滴の飛翔速度を考慮する必要がないからである。
【００５０】
次に、図３は、静電力によって、液滴が吸引加速される様子を示したものである。
【００５１】
図３において、ノズル２０内にはインク２２が充填されており、ノズル２０と対向電極２１との間に静電界が印加できるよう電源２３が接続され、ノズル２０の吐出端部にはインクのメニスカスが形成されている。
【００５２】
図３（ａ）は、ノズル２０に形成されるインクのメニスカス２４が、凹状の状態で、静電界のみが印加された状態を示す。
【００５３】
この場合には、電界は、一番尖った部分に集中する性質があり、この場合にはノズルのエッジ部２５に一番集中するから、従ってインクのメニスカス２４を引き出す力は相当大きな静電界が作用しないと十分働かない。
【００５４】
図３（ｂ）は、ピエゾ素子の圧力を用いてインクのメニスカス２６を凸状にした状態で電界を作用させた状態を示す。
【００５５】
この場合には、インクのメニスカス２６の先端が一番対向電極に近ずくため、メニスカスの先端に電界が集中してインクを吸引する力が急激に大きくなる。
【００５６】
図３（ｃ）は、液滴２７が飛翔している状態での電界の状態を示す。
そして、例えば、図３の場合のように、ノズル側に正の電位を与えた場合、インクのメニスカスには正の電荷が集まってきて、電荷をもった状態で切断されて飛翔する。
【００５７】
したがって、図３（ｃ）のように、飛翔している液滴２７は、正電荷をもっており、液滴２７と対向電極２１との間に図のような電気力線が生じて、液滴２７が対向電極に吸引される。この吸引力は対向電極に近ずけば近ずくほど大きくなるので、液滴２７も対応して一層加速されることになる。
【００５８】
さて、インクジェット記録装置では、インクの吐出しない非吐出状態では、ノズルに形成されるインクのメニスカス２４が凹状になるように設定されている。これはインクのノズルからの漏れ出しを防ぐためである。
【００５９】
ここで、静電界だけでインク液滴を吐出させること考えると、メニスカスが凹の状態では電界の集中が悪いため、電界の作用だけでメニスカスを凹から凸に引き出すには相当大きな電界が必要であって、通常２〜１０ｋＶ／ｍｍ程度の電界が必要である。
【００６０】
しかし、少なくともインクの非吐出状態から吐出状態へ切り替わるときに、例えば２〜１０ｋＶ／ｍｍのバイアス電圧を印加してメニスカスを凸状にしておけば、さらに追加して、数百Ｖの信号電圧を印加すれば液滴を飛翔させることができる。
【００６１】
すなわち、静電力でインク液滴を吐出させようとした場合、メニスカスを凸状にするには多大なエネルギーが必要だが、一旦メニスカスが凸状になりさえすれば、低いエネルギーで効率よく液滴を加速することができることが理解できる。
【００６２】
そこで、本実施の形態のインクジェット記録装置においては、ピエゾ素子の圧力波と対向電極による静電界とを協同的に作用させ、ピエゾ素子の変位量に応じてインク液滴の大きさを制御し、静電界の強度に応じてインク液滴の飛翔速度を制御するのみならず、メニスカスを一旦凸状にすべく、ピエゾ素子による圧力波エネルギーと静電界による吸引エネルギーの両者のエネルギーを利用している。
【００６３】
換言すれば、本実施の形態のインクジェット記録装置は、ピエゾ素子の変位量制御によって液滴径の制御は容易であるが、液滴の飛翔速度を高速化することの困難な、圧力波を利用したインクジェットと、インクのメニスカスを凸状にするまでは多大なエネルギーを要するが、液滴の加速が容易で、飛翔速度を高くすることができる静電吸引型インクジェットの両者の利点を生かし、欠点を互いにカバーしたインクジェット記録装置であるともいえる。
【００６４】
なお、以上において、インクへ作用する圧力を発生する手段としてピエゾ素子を用いた例、及び被記録物方向へインクに作用する引力を発生する手段として静電力を用いた例について説明したが、同等の機能を有するものであれば他のものも使用可能である。
【００６５】
（実施の形態２）
本実施の形態では、実施の形態１におけるインクジェット記録装置の構成において、液滴飛翔速度と記録特性について詳細に説明する。
【００６６】
インクジェット記録装置は、インクジェットヘッドと被記録物を対向させ、両者を図１における矢印の方向に沿って相対移動させながら、インク液滴を吐出させ被記録物に画像などを形成して行くものである。
【００６７】
かかる場合において、インクジェットヘッドと被記録物との相対移動速度をＶｐ（ｍ／ｓ）、吐出液滴がノズルから被記録物に飛翔する平均速度をＶｄ（ｍ／ｓ）、及びノズルから被記録物までの距離をＬ（ｍ）とすると、液滴が吐出してから被記録物に到着する時間は、Ｌ／Ｖｄ（ｓ）となる。
【００６８】
ここで、各液滴の飛翔速度には実際にはばらつきが生じているため、最高速の液滴がＶｄ1、最低速の液滴がＶｄ2の各平均速度（静電力による加速で、液滴は、被記録物に近い程高速となるので、平均速度で代表する。）をもっているとすると、これらが被記録物に到着する時間差は、以下の（数５）で示される。
【００６９】
【数５】
0003826519.tif 000004
【００７０】
そして、この間に被記録物とノズルの相対位置は、以下の（数６）の距離程移動している。
【００７１】
【数６】
0003826519.tif 000005
【００７２】
つまり、（数６）で示される距離だけ液滴の付着する位置がずれてしまうことになる。
【００７３】
ここで、被記録物の解像度をＤドット／ｍとすると、形成されるドットの間隔は１／Ｄ（ｍ）であり、ドット形成位置がずれる場合を考えると、１／２Ｄ、すなわち、理想的に並ぶべき間隔の半分以上ずれると、隣接するドットのどちらに属するドットであるか不明となり、解像度の意味がなくなってしまう。
【００７４】
よって、（数６）から、以下の（数７）を満足することが少なくとも必要である。
【００７５】
【数７】
0003826519.tif 000006
【００７６】
さらに、一般にドットの位置ずれが、正規のドット間隔の１／４以内であれば、実用上画質が損なわれないと評価される。
【００７７】
したがって、さらに好適には、以下の（数８）を満足することが必要である。
【００７８】
【数８】
0003826519.tif 000007
【００７９】
以上のように、本実施の形態では、静電力で液滴飛翔速度を制御する場合に、少なくとも（数７）、より好適には（数８）満たすように制御すれば、良好な品質の画像が得られることになる。
【００８０】
【発明の効果】
以上のように、本発明は、圧力波でインク液滴を吐出させるインクジェット記録装置の吐出ノズルから被記録物に至る空間に制御可能な吸引力を作用させるものであり、圧力波で液滴径あるいは吐出量を、吸引力で液滴の飛翔速度を、機能分離して制御するようにしたものである。
【００８１】
このような構成により、吐出液滴径が小さな場合にも、大きい場合と同様な液滴飛翔速度を与えることができるため、使用できるインク液滴径の可変範囲が広がり、階調性の高い画像を印写できるようになり、高画質な画像再現が可能な記録装置を提供することができる。
【図面の簡単な説明】
【図１】本発明の第１の実施の形態におけるインクジェット記録装置の断面図
【図２】同インクジェット記録装置の液滴吐出結果を示す図
【図３】同従来のインクジェット記録装置の液滴吐出状態を示す断面図
【図４】従来のインクジェット記録装置の断面図
【図５】同インクジェット記録装置の信号波形を示す図
【図６】同インクジェット記録装置の液滴吐出状態を示す断面図
【図７】同インクジェット記録装置の液滴吐出結果を示す図
【符号の説明】
１０  インクジェット記録ヘッド
１１  吐出ノズル
１２  圧力室
１３  インク流入口
１４  ピエゾ素子
１５  ピエゾ駆動電極
１６  ピエゾ駆動信号源
１７  対向電極
１８  被記録物
１９  高圧電源
２０  吐出ノズル
２１  対向電極
２２  インク
２３  電源
２４  メニスカス
２５  エッジ部
２６  メニスカス
２７  液滴
【図１】
0003826519.tif 000010
【図２】
0003826519.tif 000011
【図３】
0003826519.tif 000012
【図４】
0003826519.tif 000013
【図５】
0003826519.tif 000014
【図６】
0003826519.tif 000015
【図７】
0003826519.tif 000016